(57)【特許請求の範囲】
【請求項１】
撮影機構を有する本体基部を内部に収納して互いに結合される２個のカバー部材からなる外カバーと、前記２個のカバー部材に跨って取り付けられる薄板形状のパネル部材とを備えたカメラにおいて、
前記パネル部材が取り付けられる取り付け面を、２個のカバー部材で連続する外周面で、カバー部材の合わせ面と直交する断面で合わせ面付近が最も外向きに凸になる湾曲面となるように形成するとともに、前記パネル部材の内周面を、前記取り付け面よりも曲率半径が小さい湾曲面に形成し、
前記２個のカバー部材のそれぞれには、前記パネル部材を撓ませて前記取り付け面の曲率半径に合わせるように取り付けたときに、前記パネル部材に複数形成された取り付け方向とほぼ平行に突出する凸部又は取り付け方向とほぼ平行に窪んだ凹部が係合する係合部が設けられていることを特徴とするカメラ。
【請求項２】
前記取り付け面を、取り付け時の前記パネル部材の外周形状に合わせ、周囲よりも一段凹ませて形成していることを特徴とする請求項１記載のカメラ。
【請求項３】
撮影機構、及びインスタントフイルムを排出する排出機構を有する本体基部を内部に収納して互いに結合される２個のカバー部材からなる外カバーと、前記２個のカバー部材に跨って取り付けられ、露光済みのインスタントフイルムが排出されるスリットを設けている薄板形状のパネル部材とを備えたカメラにおいて、
前記２個のカバー部材のそれぞれには、前記パネル部材を前記スリットの幅を広げた状態で前記カバーに取り付けたときに、前記パネル部材に複数形成された取り付け方向とほぼ平行に突出する凸部又は取り付け方向とほぼ平行に窪んだ凹部が係合する係合部が設けられていることを特徴とするカメラ。
【請求項４】
前記外カバーに前記パネル部材が取り付けられる取り付け面を、取り付け時の前記パネル部材の外周形状に合わせ、周囲よりも一段凹ませて形成していることを特徴とする請求項３記載のカメラ。
【発明の詳細な説明】
【０００１】
【発明の属する技術分野】
本発明は、カメラに関するものであり、さらに詳しくは、撮影機構を有する本体基部に被せられる外カバーの連結方法に関するものである。
【０００２】
【従来の技術】
一般に、カメラボディは撮影に必要な各種の機能部品が組み込まれた本体基部を外装となる外カバーで覆うことによって構成されている。本体基部に組み込まれる機能部品には、撮影レンズ、操作ボタン、液晶パネル等があり、これらは、外カバーに形成された穴を通して外部に露呈される。さらに、インスタントカメラの場合、本体基部には、自己現像処理型のフイルムユニットを掻き出すクロー部材、及び掻き出されたフイルムユニットを展開する展開ローラなどが組み込まれている。
【０００３】
一方、安価なコンパクトカメラやインスタントカメラ等においては、その構成の大部分が射出成形法により成形された樹脂成形部品で占められているのが一般的である。射出成形法は、被成形物の外形に倣った空間を有する金型内に樹脂液を高圧で注入し、これを冷却して固めた後に取り出す方法で、大量生産が可能であることから製造コストを低減することができる。さらに、製造コストを抑えるため、部品同士の結合方法にネジ止めを用いず、爪係止などで組み立てられている。
【０００４】
【発明が解決しようとする課題】
しかしながら、前記機能部品を露呈させる穴がカバー同士の接合面に跨って形成されている場合、係止爪を設けるスペースが限られてしまうため、カバー同士の結合力が弱くなってしまう。さらにインスタントカメラの場合、露光済みのインスタントフイルムをカメラボディの外部へ排出するスリットを設けることが必要となり、このスリットもカバー同士の接合面に跨って形成されていることが多く、また開口される面積も広くなるため、カバー同士の結合力はさらに弱くなってしまう。
【０００５】
本発明は、上記問題点を解決するためのもので、接合面に跨って開口部が形成されているカバー同士を確実に結合できるようにしたカメラを提供することを目的とする。
【０００６】
【課題を解決するための手段】
上記問題点を解決するために、本発明のカメラは、撮影機構を有する本体基部を内部に収納して互いに結合される２個のカバー部材からなる外カバーと、前記２個のカバー部材に跨って取り付けられる薄板形状のパネル部材とを備え、前記パネル部材が取り付けられる取り付け面を、２個のカバー部材で連続する外周面で、カバー部材の合わせ面と直交する断面で合わせ面付近が最も外向きに凸になる湾曲面となるように形成するとともに、前記パネル部材の内周面を、前記取り付け面よりも曲率半径が小さい湾曲面に形成し、前記２個のカバー部材のそれぞれには、前記パネル部材を撓ませて前記取り付け面の曲率半径に合わせるように取り付けたときに、前記パネル部材に複数形成された取り付け方向とほぼ平行に突出する凸部又は取り付け方向とほぼ平行に窪んだ凹部が係合する係合部が設けられていることを特徴とする。なお、前記取り付け面を、取り付け時の前記パネル部材の外周形状に合わせ、周囲よりも一段凹ませて形成することが好ましい。
【０００７】
請求項３記載のカメラでは、撮影機構、及びインスタントフイルムを排出する排出機構を有する本体基部を内部に収納して互いに結合される２個のカバー部材からなる外カバーと、前記２個のカバー部材に跨って取り付けられ、露光済みのインスタントフイルムが排出されるスリットを設けている薄板形状のパネル部材を備え、前記２個のカバー部材のそれぞれには、前記パネル部材を前記スリットの幅を広げた状態で前記カバーに取り付けたときに、前記パネル部材に複数形成された取り付け方向とほぼ平行に突出する凸部又は取り付け方向とほぼ平行に窪んだ凹部が係合する係合部が設けられていることを特徴とする。なお、前記外カバーに前記パネル部材が取り付けられる取り付け面を、取り付け時の前記パネル部材の外周形状に合わせ、周囲よりも一段凹ませて形成していることが好ましい。
【０００８】
【発明の実施の形態】
本発明を実施したインスタントカメラ（以下、単にカメラとする。）２は、図２に示すように、カメラボディが正面から見て略横長矩形状となっており、前面に鏡筒部５が突出している。鏡筒部５の内部には、撮影レンズ６を組み込んだ移動筒７が内蔵されている。
【０００９】
カメラ２の一方の側面には右手で把持されるグリップ部８が一体に形成され、そのグリップ部８の上部には、シャッタボタン９が設けられている。また、グリップ部８の中は電源用の電池を収納する電池室となっており、これを開閉する蓋９ａ（図３参照）がグリップ部８の側面に取り外し自在に設けられている。グリップ部８の上方には、ストロボ発光部１０が設けられている。また、ストロボ発光部１０とは逆側にファインダー対物窓１１が設けられている。グリップ部８とは逆側のカメラボディの側面には、押しボタン式の各種スイッチが設けられた操作部１２とＬＣＤ１３が、また、カメラボディの上面には、フイルム排出口１４等が設けられている。フイルム排出口１４からは、現像中のフイルムユニットが排出される。
【００１０】
操作部１２には、上から順番に、電源のＯＮ／ＯＦＦを切り替える電源スイッチ１５、測光値を基準にした露光の濃淡切り替えを行う濃淡切替スイッチ１６、ピント位置を通常位置と望遠位置との間で切り替えるピント切替スイッチ１７、ストロボ撮影と非ストロボ撮影とを切り替えるストロボスイッチ１８が設けられている。ＬＣＤ１３には、撮影に必要な情報、例えばフイルムの残り枚数、露光の濃淡、ピント位置などが表示される。また、ファインダー対物窓１１の下方には、オートストロボ用の受光素子１９が、移動筒７の前面下方には、被写体輝度を測光する測光素子２０が設けられている。
【００１１】
カメラ２は、図３及び図４に示すように、フイルムパック２２が装填されるフイルムパック収納室２３が背面側に形成され、各種撮影機能部品が取り付けられる本体基部２４と、この本体基部２４の前後に被せられる前カバー２５及び後カバー２６とからなる。前後カバー２５、２６は、それぞれ一体に形成されたプラスチック成形品であり、本体基部２４もその大部分がプラスチック成形の部品によるものである。前カバー２５には、鏡筒部５が一体に形成されている。後カバー２６には、フイルムパック収納室２３を開閉する板状の裏蓋２８がヒンジ２９を介して開閉自在に取り付けられている。
【００１２】
フイルムパック２２は、箱形状に形成されたプラスチック製のケース３１と、このケース３１の中に複数枚が積層して収納されるフイルムユニット３２とから構成されている。フイルムユニット３２は、感光層及び受光層が層設された露光面３３と、現像処理液を封入した現像処理液ポッド３４と、この現像処理液ポッド３４から露光面３３の上に流し込まれて余った現像処理液を捕捉して硬化させるトラップ部３５とからなる。フイルムユニットは、最後まで１枚のシートとして取り扱うことができる長方形状をしたモノシートタイプとなっている。フイルムパック収納室２３の前面には、フイルムユニット３２への露光範囲を決定する露光開口３７が形成されている。露光開口３７は、横長矩形の大判サイズとなっている。
【００１３】
ケース３１の上面には、撮影済のフイルムユニット３２をケース３１の外に排出するスリット形状のフイルム出口３８が設けられている。このフイルム出口３８は、フイルムパック２２が未使用の際には、柔軟性のある遮光シール（図示なし）によって塞がれている。
【００１４】
また、本体基部２４の上面には、一対の展開ローラ４０や、掻出し爪等の駆動機構、ストロボユニット４１、メイン基板４２、及びファインダーユニット４３等が組み込まれ、その前面には鏡筒部５に相似形状で前面に突出した暗箱４４が一体に形成されている。展開ローラ４０は、フイルムユニット３２の現像処理液ポッド３４を裂開して内蔵された現像処理液を露光面３３に拡布する。また、暗箱４４は、露光開口３７と撮影レンズ６との間を覆うものであり、前方に向かって先細りの円筒形状とされている。また、本体基部２４の一方の側面で、グリップ部８の内部に相当する部分には電源電池４５を収納する電池室４６が一体に設けられている。
【００１５】
暗箱４３の上方にはストロボユニット４１が、また電池室４５とは逆側の側面にはメイン基板４２が、そのメイン基板４２の上方にはファインダユニット４３が取り付けられている。ストロボユニット４１は、メインコンデンサ、昇圧コイルなどの部品を取り付けたストロボ基板４７と、このストロボ基板４７に保持され、ストロボ放電管、リフレクタなどからなるストロボ発光部９とから構成されている。メイン基板４２には、ＬＣＤ１３及び各種スイッチ１５〜１８が取り付けられている。
【００１６】
前カバー２５及び後カバー２６には、ＬＣＤ１３，及び各種スイッチ１５〜１８を外部に露呈させるための開口４８〜５２と、フイルム排出用の開口５３が形成されている。これらの開口４８〜５３は、前後カバー２５，２６の接合面を跨って形成されている。また、後カバー２６の底面部には、係止穴２６ａが形成されており、前カバー２５の内周面側に形成されている係止爪２５ａによって係止されている。
【００１７】
図１に示すように、前後カバー２５、２６を本体基部２４の前後から覆い被せた後、さらに、前後カバー２５、２６の上面及び側面に跨って上面パネル５４及び側面パネル５５を取り付けている。上面パネル及び側面パネル５５を取り付ける前の状態では、底面側に形成された係止爪２５ａと係止穴２６ａによる係止のみであるので保持力が弱く、前後カバー２５、２６は結合されていない状態である。上面パネル５４、及び側面パネル５５が取り付けられる取り付け面５６、５７は、前後カバー２５、２６に連続して形成されている面であり、周囲よりも一段凹ませて形成されている。取り付け面５６に上面パネル５４が取り付けられると、開口５３が塞がれる。
【００１８】
上面パネル５４は、柔軟性を持つ樹脂により成形されている。上面パネル５４には、スリット形状のフイルム排出口１４と、８箇所の突起部５８、及び２箇所の位置決めピン５９が形成されている。突起部５８は、内周面５４ｂから突出する方向に伸びており、上面パネル５４の中央に位置するフイルム排出口１４の両側に４箇所ずつ等間隔で配置されている。取り付け面５６には、突起部５８と係合する係合穴６１、及び位置決めピン５９が嵌合する位置決め穴６２が形成されている。
【００１９】
上面パネル５４を前後カバー２５、２６に取り付けるときには、図中矢印の方向に上面パネル５４を引っ張り、フイルム排出口１４の幅を広げるようにして変形させ、平面に形成された取り付け面５６に合わせるようにして嵌め込む（図５（Ｂ）参照）。このとき、位置決めピン５９を位置決め穴６２に合わせて位置決めし、さらに、突起部５８を係合穴６１に係合させている。前後カバー２５、２６に取り付けられた上面パネル５４には、もとの形状に戻ろうとする復元力が働く。この復元力、及び突起部５８が係合穴６１に係合していることにより、上面パネル５４は前後カバー２５、２６を挟み込んで結合させている。
【００２０】
側面パネル５５は、柔軟性を持つ透明な樹脂により成形されており、その内周面５５ｂ（図６（Ａ）参照）にカメラ２の使用方法や使用上の注意事項等が印刷され、外周面５５ａ（図６（Ａ）参照）からその印刷が露呈する。側面パネル５５には、ＬＣＤ１３を露呈させる露呈窓５５ｃ，及び各種ボタン１５〜１８を露呈させる露呈穴５５ｄ〜ｇが形成されている。露呈窓５５ｃが位置する部分には、内周面５５ｂに印刷が施されていないため、ＬＣＤ１３が露呈する。また、露呈穴５５ｄ〜ｇは、各種スイッチ１５〜１８の外周形状に合わせて開口されており、さらに、各種スイッチ１５〜１８を押圧しやすいように、内周面５５ｂ側から外周面５５ａ側に向かって内径が大きくなるテーパーが形成されている。なお、露呈窓５５ｃをレンズ形状に成形し、外部から見たとき、ＬＣＤ１３が拡大されて見えるようにしてもよい。
【００２１】
側面パネル５５が取り付けられる取り付け面５７は、図６に示すように、前後カバー２５、２６の合わせ面６３と直交する断面で、合わせ面６３付近が最も外向きに凸となる湾曲面に形成されている。側面パネル５５は、図６（Ａ）に示すように、前後カバー２５、２６に取り付けられる前は、取り付け面５７の曲率半径よりも半径が小さく、外周面５５ａが外向きに凸となり、内周面５５ｂが凹となる曲面を持つ薄板形状に形成されている。なお、図６は、露呈穴５５ｄを通過する位置の断面図であり、図面の煩雑化を防ぐため、スイッチ１５及びメイン基板４２などの記載を省略している。
【００２２】
側面パネル５５を前後カバー２５、２６に取り付けるときには、内周面５５ｂに接着剤を塗布した後、図中矢印の方向に側面パネル５５を広げて、撓ませることにより、取り付け面５６の曲面に合わせるようにして貼着する（図６（Ｂ）参照）。前後カバー２５、２６に取り付けられた側面パネル５５には、もとの形状に戻ろうとする復元力が働く。この復元力により、側面パネル５５は前後カバー２５、２６を挟み込んで結合させている。
【００２３】
なお、側面パネル５５の取り付けにおいては、接着剤の塗布による貼着に限るものではなく、前後カバー２５、２６にそれぞれ係合穴６４を設け、側面パネル５５に形成した突起部６５を係合穴６４に係合させて取り付けてもよい。あるいは、接着剤の塗布による貼着と、突起部６５の係合の両方を組み合わせてもよい。また、上面パネル５４、又は側面パネル５５側に係合穴を形成し、前後カバー２５、２６に設けた突起部に係合させるようにしてもよい。
【００２４】
上記実施形態では、インスタントカメラの例で説明しているが、本発明ではインスタントカメラに限らず、ブローニーサイズの写真フイルムを装填するカメラや１３５タイプの写真フイルムカートリッジを装填するカメラ、ＩＸ２４０フイルムカートリッジを装填するカメラ、及び電子スチルカメラ等、いかなるカメラにも適用可能である。
【００２５】
また、上記実施形態では、撮影機構を有する本体基部を内部に収納する外カバーは、前後に分割される２つのカバー部材から構成されるが、本発明はこれに限定されるものではなく、上下、左右等に分割される場合や、３個以上に分割されるカバー部材で構成される外カバー等にも適用される。
【００２６】
【発明の効果】
以上説明したように、本発明のカメラは、パネル部材が取り付けられる取り付け面を、２個のカバー部材で連続する外周面で、カバー部材の合わせ面と直交する断面で合わせ面付近が最も外向きに凸になる湾曲面となるように形成するとともに、前記パネル部材の内周面を、前記取り付け面よりも曲率半径が小さい湾曲面に形成し、前記パネル部材を前記取り付け面の曲率半径に合わせるように撓ませて取り付けているので、カバー部材同士を確実に結合することができる。
【００２７】
あるいは、パネル部材に、露光済みのインスタントフイルムが排出されるスリットと、凸部又凹部とを形成し、カバー部材のそれぞれに、パネル部材に設けられた凸部又は凹部に係合する係合部を設け、前記スリットの幅を広げるとともに、前記凸部又は凹部を前記係合部に係合させて、前記パネル部材を前記外カバーに取り付けるのも、カバー部材同士の結合に効果的である。
【図面の簡単な説明】
【図１】上面パネル及び側面パネルを取り付ける前の状態を示す斜視図である。
【図２】本発明のカメラを示す外観斜視図である。
【図３】図２に示すカメラの構成を示す分解斜視図である。
【図４】図２に示すカメラの縦断面図である。
【図５】上面パネルを取り付ける前後の状態を示す説明図である。
【図６】側面パネルを取り付ける前後の状態を示す説明図である。
【符号の説明】
２  カメラ
１４  フイルム排出口
２４  本体基部
２５  前カバー
２６  後カバー
５４  上面パネル
５４ａ，５５ａ  外周面
５４ｂ，５５ｂ  内周面
５５  側面パネル
５６，５７  取り付け面
５９  突起部
５９  係合穴
【図１】
0004289580.tif 000002
【図２】
0004289580.tif 000003
【図３】
0004289580.tif 000004
【図４】
0004289580.tif 000005
【図５】
0004289580.tif 000006
【図６】
0004289580.tif 000007